(57)【特許請求の範囲】
【請求項１】
歯部２の接地部２ａがピッチング揺動する方向の凸曲面となっており、しかも、台部１の鼻緒３ｃの挿入孔５の位置より前側から、緒３の両端３ａ、３ｂの挿入孔４、４’の位置より後側まで延在している下駄において、
前記の接地部凸曲面の前側と後側が、それぞれ互いに曲率の異なる真円となっており、しかも、前側より後側の曲率が大きいことを特徴とする不安定下駄。
【請求項２】
前側の真円中心が、下駄に作用する人体の重心位置を通る鉛直線のほぼ近傍または幾分前側に位置していること、
後側の真円が前側より小径であり、その中心が、前記前側の真円中心位置より前側に位置していること、
を特徴とする請求項１に記載の不安定下駄。
【請求項３】
前記の凸曲面をした歯部において、左右両側と体重の重心を通る鉛直線の位置以外の部分が空間となっていることを特徴とする請求項１または請求項２に記載の不安定下駄。
【請求項４】
前記凸曲面をした歯部が、左右両側には存在せず、中央部のみに形成されていることを特徴とする請求項１から請求項３までのいずれかの項に記載の不安定下駄。
【請求項５】
前記凸曲面をした歯部と下駄の台部とが別体となっており、しかも歯部に対する台部の角度を、１８０度ごとに、あるいは９０度ごとに変更可能な構造となっていることを特徴とする請求項１から請求項４までのいずれかの項に記載の不安定下駄。
【発明の詳細な説明】
【０００１】
【産業上の利用分野】
本発明は、通常の歩行に用いる下駄とは違って、健康増進やトレーニング、平衡感覚の向上などに適した不安定下駄に関する。
【０００２】
【従来の技術】
特開平７−３２３０３９号公報において、下肢部の矯正や筋力向上、ストレッチ、シェイプアップなどに利用する下駄状の整体器が提案されている。
【０００３】
【発明が解決しようとする課題】
前記のように、下駄状の整体器を利用して、自宅やオフィスなど場所を選ばずに、手軽に筋力向上などを可能とすることが提案されているが、足首の角度が一定となり固定されるので、筋肉群の固い人には、無理な姿勢を取らされ、無意識のまま、上半身を前傾させてしまう、といった問題がある。
【０００４】
また、不意に前側または後側に傾くため、足首に強い衝撃が作用し、また無理な力が作用して、足首を傷めるなどの恐れがある。
【０００５】
前傾角度および後傾角度が一定で、動作が限定されるため、柔軟度の高い人には、物足りなく、ストレッチ効果が薄れる。
【０００６】
本発明の技術的課題は、このような問題に着目し、上記同様に下駄を利用するが、異なる発想と構成によって、足首その他の強化や矯正、姿勢の矯正や平衡感覚の向上を、無理なく、安全に、より効果的に達成可能とすることを目的とする。
【０００７】
【課題を解決するための手段】
本発明の技術的課題は次のような手段によって解決される。請求項１は、歯部２の接地部２ａがピッチング揺動する方向の凸曲面となっており、しかも、台部１の鼻緒３ｃの挿入孔５の位置より前側から、緒３の両端３ａ、３ｂの挿入孔４、４’の位置より後側まで延在している下駄において、
前記の接地部凸曲面の前側と後側が、それぞれ互いに曲率の異なる真円となっており、しかも、前側より後側の曲率が大きいことを特徴とする不安定下駄である。
【０００８】
このように、歯部２の接地部２ａがピッチング揺動する方向の凸曲面となっており、しかも、台部１の鼻緒３ｃの挿入孔５の位置より前側から、緒３の両端３ａ、３ｂの挿入孔４、４’の位置より後側まで延在しているため、この下駄を履くと、前後方向に不安定となり、自然にピッチング揺動する。したがって、特別に意識しなくても、自然にピッチング動作が可能となる。しかも、接地部が凸の円弧なため、連続的にかつ無限に近い角度に前側あるいは後側に傾けることが可能となり、また、急に傾いて足首を傷めるなどの恐れがなく、衝撃も少ない。特に、凸曲面の前側と後側が真円であるため、不安定下駄の製造が容易となり、安価に提供できる。
【０００９】
さらに、前記凸曲面を形成する真円の曲率が、前側より後側が大きいため、両足を揃えて立った場合、体が前側に倒れるように作用し不安定となるので、姿勢を安定させようと意識し、前庭器や半器官、筋紡錘などの感覚器と全身の筋肉群を総動員することになり、足首などの強化や矯正、平衡感覚の向上に有効である。特に、身体の前面、背面の筋肉群と感覚器が鍛えられ、またリハビリテーションにも有効である。
【００１０】
左右の足を前後に広げると、立位姿勢が楽になるので、初心者や高齢者も容易に利用でき、また接地部が曲面なため、各人に合った任意の角度で下駄が傾き、無理なく利用できる。両足を前後に広げ、特に下半身を伸ばしてストレッチした場合は、アキレス筋、ヒラメ筋、腰腹筋、大腿二頭筋群などを鍛えることができる。
【００１１】
接地部が非対称の凸曲面なため、個々の歩幅に合わせて着地面が一定せず、無限の状態で着地できる。また、踵から爪先まで、スムーズに体重が乗るので、姿勢を崩すことなく、無理なく重心移動でき、歩行しながら無意識に、楽しく、利用できる。したがって、負担にならず、持続的に利用できる。
【００１２】
請求項２は、前側の真円中心が、下駄に作用する人体の重心位置を通る鉛直線のほぼ近傍または幾分前側に位置していること、後側の真円が、前側より小径であり、その中心が、前記前側の真円中心位置より前側に位置していること、を特徴とする請求項１に記載の不安定下駄である。
【００１３】
このように、前側の真円中心が、人体の重心位置を通る鉛直線のほぼ近傍または幾分前側に位置しており、後側の真円中心が、前記前側の真円中心位置より前側に位置している構造なため、人体の強化や矯正、平衡感覚向上などに最適な構造を実現できる。
【００１４】
請求項３は、前記の凸曲面をした歯部において、左右両側と体重の重心を通る鉛直線の位置以外の部分が空間となっていることを特徴とする請求項１または請求項２に記載の不安定下駄である。
【００１５】
このように、左右両側に凸曲面を有し、また体重の重心を通る鉛直線の位置に支持部を有しており、これら以外の部分が空間となっているので、不安定下駄が重すぎることがなく、また強度が低下することもない。
【００１６】
請求項４は、前記凸曲面をした歯部が、左右両側には存在せず、中央部のみに形成されていることを特徴とする請求項１から請求項３までのいずれかの項に記載の不安定下駄である。
【００１７】
このように、凸曲面をした歯部が中央部のみに存在する構造にしたことにより、前後のみでなく、左右方向にも不安定となり、その結果、ピッチング揺動とローリング揺動の両方の運動が可能となり、多様な使い方ができる。
【００１８】
請求項５は、前記凸曲面をした歯部と下駄の台部とが別体となっており、しかも歯部に対する台部の角度を、１８０度ごとに、あるいは９０度ごとに変更可能な構造となっていることを特徴とする請求項１から請求項４までのいずれかの項に記載の不安定下駄である。
【００１９】
このように、歯部に対し台部の向きを１８０度変更して台部１の向きを前後反転可能なため、曲率の大きい方の凸曲面の向きを前向きにしたり後向きにしたりでき、より多様な使い方ができる。また、９０度ごとに変更可能な構造とすると、ピッチング揺動に加えてローリング揺動も可能となり、さらに多様な使い方ができる。
【００２０】
【発明の実施の形態】
次に本発明による不安定下駄が実際上どのように具体化されるか実施形態を説明する。図１および図２は本発明による不安定下駄の第一実施形態を示す斜視図で、図１は接地面側から見た斜視図、図２は上側から見た斜視図である。
【００２１】
１は下駄の台部、２は歯部、３は緒である。図示のように、この不安定下駄は、歯部２の接地部２ａが凸曲面になっている。図３は、別の実施形態を接地面側から見た斜視図であり、この場合も、歯部２の接地部２ａが凸曲面になっている。
【００２２】
図２の緒３の着け方からも明らかなように、この不安定下駄をはいた場合に、下駄がピッチング揺動する方向の凸曲面となっている。歯部２は、図３のように、全く空間の無い、中実構造でもよいが、図１、図２のように、必要な部分以外は排除して空間にすることもできる。
【００２３】
歯部２の凸曲面２ａは、全体にわたって同一曲率とすることも可能ではあるが、図示のように、前側と後側とで曲率が異なった形状が有効である。すなわち、鼻緒３ｃの付いている前側の曲率が小さく、後側の曲率が大きい。しかしながら、これを逆にすることも不可能ではない。
【００２４】
また、凸曲面２ａの前側および後側は、次第に曲率が変化し、かつ連続した円弧にすることもできるが、前側および後側を真円にすることもできる。次に本発明の不安定下駄の一実施例を詳述する。図４は、この実施例の詳細を示す側面図、図５は正面図である。
【００２５】
図４において、４（４’）は足の甲側を支持する緒３の両端３ａ、３ｂを挿入する孔の位置を示し、５は鼻緒３ｃを挿入する孔の位置を示す。したがって、矢印ａ１側が前側、ａ２側が後側となる。
【００２６】
鉛直方向の線６は、この不安定下駄を履いている人体の重心を通る鉛直線であり、この鉛直線６と台部１の上面１ａとの交点を中心Ｏとする。また、台部１の上面１ａの後端をＣ、前端をＣ’とし、台部１の下面１ｂの後端をＤ、前端をＤ’とする。台部１の前端Ｃ’と後端Ｃとの間の寸法を２４ｃｍ、台部１の厚みを２ｃｍとする。
【００２７】
(1).鉛直線６上の点Ａから１５°の角度で、７ｍｍの位置をＡ’とし、このＡ’位置から半径１６ｃｍの円弧Ｂ・Ｂ’を引き、凸曲面２ａの前側２ａ１とする。
【００２８】
(2).前記の前側の凸曲面２ａ１の内側に円弧Ｅ・Ｅ’を引く。すなわち、鉛直線６上のＸ点（Ａ点から１ｃｍ）から、半径１３．３ｃｍの円弧Ｅ・Ｅ’を引く。
【００２９】
(3).Ｏ・Ｃ’線上のＧ点（Ｏ点から１５°、１ｃｍ）から、半径９．８ｃｍの円弧Ｂ’・Ｆを引き、凸曲面２ａの後側２ａ２とする。
【００３０】
(4).前記の後側の凸曲面２ａ２の内側に円弧Ｈ・Ｉを引く。すなわち、Ｏ・Ｃ’線上のＧ’点（Ｏ点から２．５ｃｍ）から、半径７．８ｃｍの円弧Ｈ・Ｉを引く。
【００３１】
(5).前記の円弧Ｅ・Ｅ’上のＫ点（Ｅ’点から６．４ｃｍ）から半径６．４ｃｍの円弧Ｅ’・Ｊを引く。そして、この円弧Ｅ’・Ｊと前記の円弧Ｅ・Ｅ’と前記水平線Ｄ・Ｄ’で囲まれた領域を除去して空間７とする。
【００３２】
(6).前記の円弧Ｆ・Ｂ’上のＬ点（Ｆ点から２．８ｃｍ）から半径６．７ｃｍの円弧Ｊ’・Ｉを引く。そして、この円弧Ｊ’・Ｉと前記の円弧Ｈ・Ｉと前記水平線Ｄ・Ｄ’で囲まれた領域を除去して空間８とする。
【００３３】
このように空間７、８を形成することで、側面から見ると、窓穴状に見える。この窓状空間の大きさによって、重量調節ができる。なお、この空間７、８を有しない構造も可能であり、その方が機械的な強度が向上する。
【００３４】
(7).鼻緒３ｃを挿入する孔５は、前端Ｃ’から４ｃｍの位置に開け、緒３の両端３ａ、３ｂを挿入する孔４（４’）は、後端Ｃから７ｃｍの位置に開ける。
【００３５】
図１からも明らかなように、凸曲面２ａは両側のみに設けてあり、中間部１６、１７は空間となっている。図５に示すように、台部１の全幅Ｍ・Ｎは１１．５ｃｍであり、左右の歯部２ｂ、２ｃの幅Ｐ・Ｑ、Ｒ・Ｓは、２．５ｃｍである。また、歯部２ｂ、２ｃの高さＰ・Ｔは、７．５ｃｍ、歯部２ａ、２ｂの間隔Ｑ・Ｒは、５．１ｃｍである。したがって、左右の歯部２ａ、２ｂの外側端と台部１の両幅端との間の寸法は、０．７ｃｍとなる。
【００３６】
鼻緒３ｃを挿入する孔５は、両幅端から５．７５ｃｍの位置に開け、緒３の両端３ａ、３ｂを挿入する孔４、４’は、両幅端から１．５ｃｍの位置に開ける。
【００３７】
前記のようにして形成した空間７と空間８との間の部分９は、人体の重心の作用する領域でもあり、強度保持のために、中間支持部としている。この中間支持部９の接地部９ａは、前記のＢ’点上の接地部Ｔ・Ｕ、Ｖ・Ｗと同じ面にすることもできるが、図示のように深さ５ｍｍ程度の凹曲面にすることもできる。逆に、破線のように、接地部Ｔ・Ｕ、Ｖ・Ｗより下側に突出した凸曲面にすることもできる。
【００３８】
以上のように、歯部２の凸曲面２ａの前側２ａ１および後側２ａ２はほぼ真円をしており、また前側２ａ１の中心は、人体の重心位置を通る鉛直線６のほぼ近傍または幾分前側の位置Ａ’上に位置している。また、後側２ａ２の中心は、前側の凸曲面の中心位置Ａ’位置より前側の位置Ｇ上に位置している。
【００３９】
そして、前側の凸曲面２ａ１の半径より、後側の凸曲面２ａ２の半径が小さく、曲率が大きい。なお、前後を逆にして、曲率の大きな方２ａ２を前側とし、曲率の小さな方２ａ１を後側とした構造も可能である。
【００４０】
図６は、歯部が半卵状の実施形態を示す正面図であり、このように、前から見た場合も、後方から見た場合も、歯部２ｅが円弧状をしている。また、この歯部２ｅを側面から見ると、図１から図４の実施形態と同じ形状となる。結局、卵を半部に切った半球状の歯部２ｅである。
【００４１】
したがって、この歯部が半卵状の不安定下駄を履くと、左右方向すなわちローリング方向にも不安定となるので、ピッチング方向とローリング方向の両方の揺動が可能となる。さらに、半卵状なため、ピッチング方向とローリング方向に限られず、任意の方向の揺動が可能となる。
【００４２】
図７、図８は歯部２の向きを変更可能とした実施形態である。凸曲面をした歯部２に対し、台部１を前後に反転可能な構造にすれば、図１〜図４のように、曲率の小さい方の凸曲面２ａ１を前側にして使用することもできれば、台部１を１８０度反転させて、曲率の小さい方の凸曲面２ａ１を後側にして使用することもでき、２通りの使い方ができる。
【００４３】
さらに、(1).右足は曲率の小さい方の凸曲面２ａ１を前側にして使用し、左足はその逆向きとする履き方、(2).右足は曲率の小さい方の凸曲面２ａ１を後側にして使用し、左足はその逆向きとする履き方、の２通りの使い方ができ、合計４通りの使い方ができる。
【００４４】
また、図示の状態において、歯部２に対し台部１を９０度回転させた状態にすれば、ピッチング揺動ではなく、ローリング揺動が可能となる。そして、(1).左右両方とも、曲率の小さい方の凸曲面２ａ１を外側にする履き方、(2).左右両方とも、曲率の小さい方の凸曲面２ａ１を内側にする履き方、(3).左側は、曲率の小さい方の凸曲面２ａ１を内側にし、右側は曲率の小さい方の凸曲面２ａ１を外側にする履き方、(4).逆に、左側は、曲率の小さい方の凸曲面２ａ１を外側にし、右側は曲率の小さい方の凸曲面２ａ１を内側にする履き方、といったように４通りの履き方が可能となる。したがって、多種多様な揺動が可能となり、いろいろな使い方ができる。
【００４５】
図７は側面図であり、歯部２と台部１とが別体になっており、歯部２に幅方向の凹溝１３を形成してあり、台部１側に、この凹溝１３に入る凸条１４を形成してある。したがって、（１）のように、曲率の小さい方の凸曲面２ａ１が前側を向いている状態において、凹溝１３から凸条１４を抜いて、台部１を反転させた状態で、凹溝１３に凸条１４を挿入すると、（２）のように、曲率の小さい方の凸曲面２ａ１を後向きにすることができる。
【００４６】
図７とは凹溝１３および凸条１４が直角の方向、すなわち下駄の前後方向に凹溝および凸条を形成することによっても、前後反転が可能である。このように、前後反転させてピッチング揺動をすることができ、２通りの使い方ができる。
【００４７】
図８は、台部１は図７の台部１と同じであり、幅方向のみに凸条１４が形成されている。ところが、歯部２には、図７のような幅方向の凹溝１３が形成されているが、さらに前後方向にも凹溝１５が形成されている。
【００４８】
したがって、図７の台部１を幅方向の凹溝１３から抜いて、図８（１）のように、前後方向の凹溝１５に挿入すると、凸曲面２ａの方向が、図７の場合に対し９０度向きが変わり、図９のように、左右方向の凸曲面となるので、ローリング方向の揺動が可能となる。
【００４９】
また、図８（１）の状態において、凹溝１５から凸条１４を抜いて、台部１を反転させてから、凹溝１５に凸条１４を挿入すると、（２）のように、台部１に対する凸曲面２ａの向きを１８０度反転できる。
【００５０】
図９は図８の不安定下駄の歯部のみ後側から見た図であり、左足と右足の履き方の組み合わせによって、合計４通りの履き方ができる。
【００５１】
つまり、曲率の小さい方の凸曲面２ａ１を外向きにしたり、内向きにしたりできる。（１）は左右両足とも、曲率の小さい方の凸曲面２ａ１を内向きにした履き方、（２）は逆に、左右両足とも、曲率の小さい方の凸曲面２ａ１を外向きにした履き方、（３）は左右両足とも、曲率の小さい方の凸曲面２ａ１を右向きにした履き方、（４）は左右両足とも、曲率の小さい方の凸曲面２ａ１を左向きにした履き方であり、合計４通りの履き方ができる。
【００５２】
本発明の不安定下駄は、歯部２および台部１の材料は特に限定されないが、木材であれば、樫その他の硬い材質が適している。合成樹脂や金属も利用できる。図７、図８のように、歯部２と台部１とが別体構造の場合は、それぞれ別の材料を使用してもよい。また、歯部２が木材の場合は、磨耗防止のために、凸曲面２ａに磨耗しにくい金属板などを張ることもできる。
【００５３】
【発明の効果】
請求項１のように、歯部が単一の下駄において、該歯部の接地部がピッチング揺動する方向の凸曲面となっているため、この下駄を履くと、前後方向に不安定となり、自然にピッチング揺動する。したがって、特別に意識しなくても、自然にピッチング動作が可能となる。しかも、接地部が凸の円弧なため、連続的にかつ無限に近い角度に前側あるいは後側に傾けることが可能となり、また、急に傾いて足首を傷めるなどの恐れがなく、衝撃も少ない。特に、凸曲面の前側と後側が真円であるため、不安定下駄の製造が容易となり、安価に提供できる。
【００５４】
さらに、前記凸曲面を形成する真円の曲率が、前側より後側が大きいため、両足を揃えて立った場合、体が前側に倒れるように作用し不安定となるので、姿勢を安定させようと意識し、前庭器や半器官、筋紡錘などの感覚器と全身の筋肉群を総動員することになり、足首などの強化や矯正、平衡感覚の向上に有効である。特に、身体の前面、背面の筋肉群と感覚器が鍛えられ、またリハビリテーションにも有効である。
【００５５】
【発明の効果】
請求項１のように、歯部２の接地部２ａがピッチング揺動する方向の凸曲面となっており、しかも、台部１の鼻緒３ｃの挿入孔５の位置より前側から、緒３の両端３ａ、３ｂの挿入孔４、４’の位置より後側まで延在しているため、この下駄を履くと、前後方向に不安定となり、自然にピッチング揺動する。したがって、特別に意識しなくても、自然にピッチング動作が可能となる。しかも、接地部が凸の円弧なため、連続的にかつ無限に近い角度に前側あるいは後側に傾けることが可能となり、また、急に傾いて足首を傷めるなどの恐れがなく、衝撃も少ない。特に、凸曲面の前側と後側が真円であるため、不安定下駄の製造が容易となり、安価に提供できる。
【００５６】
接地部が非対称の凸曲面なため、個々の歩幅に合わせて着地面が一定せず、無限の状態で着地できる。また、踵から爪先まで、スムーズに体重が乗るので、姿勢を崩すことなく、無理なく重心移動でき、歩行しながら無意識に、楽しく、利用できる。したがって、負担にならず、持続的に利用できる。
【００５７】
請求項２のように、前側の真円中心が、人体の重心位置を通る鉛直線のほぼ近傍または幾分前側に位置しており、後側の真円中心が、前記前側の真円中心位置より前側に位置している構造なため、人体の強化や矯正、平衡感覚向上などに最適な構造を実現できる。
【００５８】
請求項３のように、左右両側に凸曲面を有し、また体重の重心を通る鉛直線の位置に支持部を有しており、これら以外の部分が空間となっているので、不安定下駄が重すぎることがなく、また強度が低下することもない。
【００５９】
請求項４のように、凸曲面をした歯部が中央部のみに存在する構造にしたことにより、前後のみでなく、左右方向にも不安定となり、その結果、ピッチング揺動とローリング揺動の両方の運動が可能となり、多様な使い方ができる。
【００６０】
請求項５のように、歯部に対し台部の向きを１８０度変更して台部１の向きを前後反転可能なため、曲率の大きい方の凸曲面の向きを前向きにしたり後向きにしたりでき、より多様な使い方ができる。また、９０度ごとに変更可能な構造とすると、ピッチング揺動に加えてローリング揺動も可能となり、さらに多様な使い方ができる。
【図面の簡単な説明】
【図１】本発明による不安定下駄の第一実施形態であり、接地面側から見た斜視図である。
【図２】図１の不安定下駄を上側から見た斜視図である。
【図３】別の実施形態を接地面側から見た斜視図である。
【図４】不安定下駄の実施例を示す側面図である。
【図５】図４の不安定下駄の正面図である。
【図６】歯部が半卵状の実施形態を示す正面図である。
【図７】１８０反転を可能にした実施形態の側面図である。
【図８】向きを９０度ごとに変更可能な実施形態を示す側面図である。
【図９】図８の不安定下駄の各種履き方を示す背面図である。
【符号の説明】
１台部
２歯部
２ａ凸曲面（接地部）
２ａ１曲率の小さな凸曲面
２ａ２曲率の大きな凸曲面
４（４’）緒の両端を挿入する孔
５鼻緒を挿入する孔
６人体の重心を通る鉛直線
７、８空間
９中間支持部
１３幅方向の凹溝
１４凸条
１５前後方向の凹溝
１６、１７空間
【図１】
0004031558.tif 000002
【図２】
0004031558.tif 000003
【図３】
0004031558.tif 000004
【図４】
0004031558.tif 000005
【図５】
0004031558.tif 000006
【図６】
0004031558.tif 000007
【図７】
0004031558.tif 000008
【図８】
0004031558.tif 000009
【図９】
0004031558.tif 000010